(57)【要約】ユニット基板を装着することができるビデオ用スロット装置に関するものである。メイン基板３と、メイン基板３に設けられた複数のコネクタ４と、複数のコネクタ４と対向する位置に設けられたスロット部５と、スロット部５に間隔を隔てて設けられた複数のユニットガイド６とを備え、スロット部５には複数のユニット基板１０が複数のユニットガイド６に沿って挿入され、各ユニット基板１０は、複数のコネクタ４にそれぞれ接続されている。ユニットガイド６は、着脱可能に設けられている。
2003043313.tif 000002
【特許請求の範囲】
【請求項１】
メイン基板と、
上記メイン基板に設けられた複数のコネクタと、
上記複数のコネクタと対向する位置に設けられたスロット部と、
上記スロット部に間隔を隔てて設けられた複数のユニットガイドとを備え、
上記スロット部には複数のユニット基板が上記複数のユニットガイドに沿って挿入され、各ユニット基板は、上記複数のコネクタにそれぞれ接続されることを特徴とするビデオ用スロット装置。
【請求項２】
上記複数のユニットガイドは、着脱可能に設けられていることを特徴とする請求項１に記載のビデオ用スロット装置。
【請求項３】
上記複数のユニットガイドは、上記間隔を可変できるように設けられていることを特徴とする請求項１又は２に記載のビデオ用スロット装置。
【請求項４】
上記スロット部には、上記複数のユニットガイドによって複数の分割スロット部が形成され、各分割スロット部に上記ユニット基板が挿入されることを特徴とする請求項１乃至３のいずれか一つに記載のビデオ用スロット装置。
【請求項５】
上記スロット部には、５つの上記分割スロット部が形成されていることを特徴とする請求項４に記載のビデオ用スロット装置。
【請求項６】
上記分割スロット部は、上記複数のユニットガイドの上記間隔を可変することによって拡張することができることを特徴とする請求項４又は５に記載のビデオ用スロット装置。
【請求項７】
上記複数のコネクタのうちの一つは、電源ユニット用コネクタであることを特徴とする請求項１乃至６のいずれか一つに記載のビデオ用スロット装置。
【請求項８】
上記スロット部には電源ユニットが設けられており、上記電源ユニットは、上記電源ユニット用コネクタに接続されていることを特徴とする請求項７に記載のビデオ用スロット装置。
【発明の詳細な説明】
技術分野
本発明は、ユニット基板を装着することができるビデオ用スロット装置に関するものである。
背景技術
放送スタジオや制作スタジオなどのスタジオには、ビデオラックが配設されており、このビデオラックには、ビデオ用スロット装置などが収容されている。ビデオ用スロット装置は、シャシ内にメイン基板と電源ユニットとを有している。メイン基板には、メイン基板と電源ユニットとを電気的に接続するコネクタと、メイン基板とユニット基板とを電気的に接続するユニット用コネクタとが設けられている。ユニット用コネクタは、メイン基板に複数設けられていて、各ユニット用コネクタに対して、一つのユニット基板が接続されるようになっている。
上記シャシ内には、メイン基板に設けられた複数のユニット用コネクタの前方に、各ユニット用コネクタに接続されるユニット基板を装着するスロット部が設けられている。スロット部には、各ユニット用コネクタに対するユニット基板の接続を容易にするために、ユニット基板の幅寸法だけ隔てて複数のユニットガイドが設けられている。この複数のユニットガイドによって、スロット部には複数の分割スロット部が形成される。ユニット基板は、ユニットガイドに案内されながら分割スロット部に挿入され、ユニット用コネクタに接続される。
しかしながら、複数のユニットガイドを一種類のユニット基板の幅寸法だけ隔てて設けた場合、幅寸法が拡張されたユニット基板を分割スロット部に挿入することができない。すなわち、分割スロット部に挿入することができるユニット基板の幅寸法は一つに限定される。
本発明は、上述のような従来技術の問題点に鑑みてなされたものであり、様々の幅寸法のユニット基板を装着することができるビデオ用スロット装置を提供することを目的とする。
発明の開示
本発明は、メイン基板と、上記メイン基板に設けられた複数のコネクタと、上記複数のコネクタと対向する位置に設けられたスロット部と、上記スロット部に間隔を隔てて設けられた複数のユニットガイドとを備え、上記スロット部には複数のユニット基板が上記複数のユニットガイドに沿って挿入され、各ユニット基板は、上記複数のコネクタにそれぞれ接続されることを特徴とするビデオ用スロット装置を提供する。
また、上記複数のユニットガイドを、着脱可能に設けることができる。
また、上記複数のユニットガイドを、上記間隔を可変できるように設けることができる。
また、上記スロット部には、上記複数のユニットガイドによって複数の分割スロット部が形成され、各分割スロット部に上記ユニット基板を挿入することができる。
また、上記スロット部には、５つの上記分割スロット部を形成することができる。
また、上記分割スロット部を、上記複数のユニットガイドの上記間隔を可変することによって拡張することができる。
また、上記複数のコネクタのうちの一つを、電源ユニット用コネクタにすることができる。
さらに、上記スロット部には電源ユニットが設けられており、上記電源ユニットを、上記電源ユニット用コネクタに接続することができる。
発明の実施の形態
以下、本発明にかかるビデオ用スロット装置の実施の形態について図面を参照しながら述べる。図１乃至図３において、符号１は、本発明にかかるビデオ用スロット装置を示している。ビデオ用スロット装置１は、矩形のシャシ２内に設けられた、メイン基板３と、複数のコネクタ４と、スロット部５と、複数のユニットガイド６と、電源ユニット７とから主に構成されている。
メイン基板３は、シャシ２内の奥側（図２（ａ）及び図３（ａ）において上側）に設けられている。メイン基板３には、前側（図２（ａ）及び図３（ａ）において下側）に複数のコネクタ４がシャシ２の短手方向（図２（ａ）及び図３（ａ）において左右方向）において一定の間隔を隔てて設けられている。図示のものは、５つのコネクタ４が一定の間隔を隔てて設けられている。５つのコネクタ４のうちの右側に設けられたコネクタ４は、電源ユニット用コネクタであり、残りの４つのコネクタ４は、ユニット基板用コネクタである。シャシ２内には、複数のコネクタ４と対向する位置にスロット部５が設けられている。
スロット部５には、シャシ２の短手方向において一定の間隔を隔てて長尺状の複数のユニットガイド６が、シャシ２の長手方向（図２（ａ）及び図３（ａ）において上下方向）に沿って設けられている。より具体的に述べると、図示のユニットガイド６は、スロット部５に４本設けられていて、各ユニットガイド６は、互いに隣接するコネクタ４とコネクタ４との間に１本ずつそれぞれ設けられている。４本のユニットガイド６によってスロット部５には５つの分割スロット部８が形成されていて、各分割スロット部８にコネクタ４が一つずつ配置されている。
スロット部５に形成された５つの分割スロット部８のうち、左側に位置する４つの分割スロット部８には、ユニット基板１０がユニットガイド６に沿ってそれぞれ挿入されて設けられている。ユニット基板１０は、図４に示すように、長尺状のユニット１１上にネジ１２等で固定されて設けられている。従って、ユニット基板１０は、ユニット１１上に載置された状態で分割スロット部８に挿入される。
各ユニット基板１０は、複数の基板用コネクタ４にそれぞれ接続されてメイン基板３と電気的に接続される。より具体的に説明すると、ユニット基板１０の一端（図４（ａ）、（ｂ）において上端）には、接続用コネクタ１３が設けられている。各ユニット基板１０は、接続用コネクタ１３をユニット基板用コネクタ４と接続することにより、メイン基板３と電気的に接続される。
上記ユニット１１の一端（図４（ａ）、（ｂ）において下端）には、外部接続用コネクタ１４等を有する接続板１５が立設されている。この接続板１５の表面には、ユニットパネル１６がネジ１７によって取り付けられていて、外部接続用コネクタ１４等がユニットパネル１６から突出している。この外部接続用コネクタ１４等は、ユニット１１を介してユニット基板１０と電気的に接続されている。
また、シャシ２の前側（図２（ａ）及び図３（ａ）において下側）の上面には、支持板２０がシャシ２の短手方向（図２（ａ）及び図３（ａ）において左右方向）に沿って設けられている。この支持板２０の一端（図２（ａ）及び図３（ａ）において下端）には、複数の固定板２１が垂設されている。この固定板２１は、複数のユニットガイド６と同じ間隔を隔てて設けられている。固定板２１には、ネジ溝付の支柱２２が設けられていて、この支柱２２のネジ溝に上記ネジ１７をユニットパネル１６を介して螺合させることにより、ユニット１１が、分割スロット部８に挿入された状態でシャシ２に固定される。
一方、スロット部５に形成された５つの分割スロット部８のうち、右側に位置する分割スロット部８には電源ユニット７が設けられている。電源ユニット７の一端（図２（ａ）及び図３（ａ）において上端）には、接続用コネクタ９が設けられている。電源ユニット７は、接続用コネクタ９を電源ユニット用コネクタ４と接続することにより、メイン基板３と電気的に接続される。
電源ユニット７の他端（図２（ａ）及び図３（ａ）において下端）には、コンセント部７１等を有する接続板３５が立設されている。この接続板３５の表面には、ユニットパネル３６がネジ３７によって取り付けられていて、コンセント部７１等がユニットパネル３６から突出している。このコンセント部７１等は、電源ユニット７と電気的に接続されている。また、固定板２１に設けられた支柱２２のネジ溝に上記ネジ３７をユニットパネル３６を介して螺合させることにより、電源ユニット７が、分割スロット部８に挿入された状態でシャシ２に固定される。
次に、本発明の特徴部分であるユニットガイド６について説明する。前述のように、４本のユニットガイド６によって、スロット部５には５つの分割スロット部８が形成されている。このユニットガイド６は、スロット部５に着脱可能に設けられている。図示のユニットガイド６は、３つのネジ５０によってスロット部５に着脱可能に設けられている。より具体的に述べると、図１に示すように、ユニットガイド６には、両端近傍と中央部の３箇所にネジ溝５１が形成されている。ネジ５０は、シャシ２の底板の外側からシャシ２の底板に形成された孔（図示せず）を介して上記ネジ溝５１に螺合している。
従って、ネジ５０をネジ溝５１から取り外すことによって、ユニットガイド６をスロット部５から取り外すことができる。すなわち、ユニットガイド６は前記間隔を可変できるように着脱可能に設けられており、ユニットガイド６の前記間隔を可変することによって分割スロット部８を拡張することができる。図５には、左側に位置するユニットガイド６を取り外して、分割スロット部８を２倍に拡張したものを示している。このようにすることにより、この２倍に拡張された分割スロット部８には、拡張されていない他の分割スロット部８に挿入されるユニット基板１０の２倍の幅のユニット基板を挿入することができる。すなわち、分割スロット部８に挿入することができるユニット基板の幅寸法は一つに限定されることはなく、２倍幅や３倍幅等のユニット基板を挿入することができる。
また、上述では、ユニットガイド６を取り外すことにより、分割スロット部８を２倍や３倍等の整数倍に拡張しているが、分割スロット部８の拡張は、整数倍に限らず、１．５倍や１．３倍等に拡張することができる。例えば、シャシ２の底板に前記間隔方向（シャシ２の短手方向）に沿った、任意の位置でユニットガイド６を固定することが可能な長孔を形成し、この長孔を介してネジ５０をネジ溝５１に螺合させるようにすれば、ユニットガイド６の配置をシャシ２の短手方向の所望の位置に調整することができ、分割スロット部８を１．５倍や１．３倍等に拡張することができる。すなわち、分割スロット部８に挿入することができるユニット基板の幅寸法は一つに限定されることはなく、１．５倍幅や１．３倍幅等の様々の幅寸法のユニット基板を挿入することができる。
【図面の簡単な説明】
図１は、本発明にかかるビデオ用スロット装置の実施の形態を示す部分斜視図である。図２（ａ）は、上記実施の形態を示す平面図、図２（ｂ）は、上記実施の形態を示す正面図である。図３（ａ）は、上記実施の形態を示す平面図、図３（ｂ）は、上記実施の形態を示す正面図である。図４（ａ）は、上記実施の形態に適用可能なユニットの一例を示す側面図、図４（ｂ）は、上記実施の形態に適用可能なユニットの一例を示す平面図、図４（ｃ）は、上記実施の形態に適用可能なユニットの一例を示す正面図である。図５（ａ）は、上記実施の形態を示す平面図、図５（ｂ）は、上記実施の形態を示す正面図である。
【図１】
2003043313.tif 000003
【図２】
2003043313.tif 000004
【図３】
2003043313.tif 000005
【図４】
2003043313.tif 000006
【図５】
2003043313.tif 000007
【国際調査報告】
2003043313.tif 000008
2003043313.tif 000009